(57)【要約】      （修正有）【課題】構成部品点数を増やすことなく意匠範囲を増やし所望する意匠の前面パネル構造を安価で提供する。【解決手段】前面パネル２０は、複数の釦１５、１６を挿入する釦挿入凹部２１と、保持部が挿入する挿入孔と、挿入孔と挿入孔との間に設けられた貫通孔とを有し、釦ホルダ３０は、保持部に接続し作動支点となるヒンジ部３３と、貫通孔に挿通し隣接する複数の釦１５、１６を仕切る隔壁部３２とを有することを特徴とする。尚、釦ホルダ３０を前面パネルと異なる色調、質感が得られるような樹脂部材で成形したり、又は、所望する色調、質感が得られるような表面処理加工等を施して差別化し、前面パネル構造１０の意匠の範囲を拡大と釦１５、１６の誤操作防止機能の向上を図る。【選択図】図１
2004179241.tif 000002
【特許請求の範囲】
【請求項１】
機器の前面パネルと、前記機器を操作する複数の釦と、該釦の保持部を有し該前面パネルの裏面側に設けられた釦ホルダとからなる前面パネル構造において、
前記前面パネルは、複数の釦を挿入する釦挿入凹部と、前記保持部が挿入する挿入孔と、該挿入孔と挿入孔との間に設けられた貫通孔とを有し、
前記釦ホルダは、前記保持部に接続し作動支点となるヒンジ部と、前記貫通孔に挿通し隣接する複数の釦を仕切る隔壁部とを有することを特徴とする前面パネル構造。
【請求項２】
前記釦ホルダは、少なくとも前記隔壁部に所望する色調、質感が得られるような樹脂部材により形成されてなることを特徴とする請求項１に記載の前面パネル構造。
【請求項３】
前記釦ホルダには、少なくとも前記隔壁部に所望する色調、質感が得られるような表面処理が施されてなることを特徴とする請求項１に記載の前面パネル構造。
【請求項４】
機器の前面パネルと、前記機器を操作する複数の釦と、該釦の保持部を有し該前面パネルの裏面側に設けられた釦ホルダとからなる前面パネル構造において、
前記前面パネルは、複数の釦を挿入する釦挿入凹部と、前記保持部が挿入する挿入孔と、該挿入孔と挿入孔との間に設けられた貫通孔とを有し、
前記釦ホルダは、前記保持部に接続し作動支点となるヒンジ部と、前記貫通孔に挿通し隣接する複数の釦を仕切る隔壁部とを有し、導光性の樹脂部材で形成され、
少なくとも前記隔壁部が所望する色調に照明されるように照明用の光源が設けられていることを特徴とする前面パネル構造。
【請求項５】
前記釦ホルダは、少なくとも前記隔壁部が導光性の樹脂部材で形成されてなることを特徴とする請求項４に記載の前面パネル構造。
【発明の詳細な説明】
【０００１】
【発明の属する技術分野】
本発明は、操作用の釦を含めた電子機器の前面パネル構造に関する。
【０００２】
【従来の技術】
従来例の電子機器の前面パネル構造の２例を図４及び図５を用いて説明する。
【０００３】
尚、従来例の前面パネル構造では、以下に述べる従来例が一般的となっており、本発明との差異を分かり易くするために前面パネルを主に説明し、機器を操作する釦および釦ホルダについての詳細な説明は省略する。
【０００４】
先ず、第１従来例を図４を用いて説明する。図４は第１従来例の前面パネル構造の構成を示す概略図で、（ａ）平面図、（ｂ）Ｄ−Ｄ断面図である。
【０００５】
７０は電子機器の前面パネル構造で、図４で示すように前面パネル８０、釦７５、７６および釦ホルダ８５などにより構成されている。
【０００６】
前面パネル８０には、機器を操作する複数の釦７５、７６を挿入する釦挿入凹部８１や記録媒体の挿入孔などが形成されている。また、釦挿入凹部８１の底部には釦ホルダ８５の釦保持部が挿入する挿入孔８３、８４などが形成されており、挿入孔８３と８４との間には、複数の釦７５と７６とを仕切る隔壁部８２が前面パネル８０の底面部から前面パネル８０の表面まで突出して一体形成されている。前面パネル８０の表面は、形成後に意匠の関係で一般的には例えば、塗装、めっきなどの表面処理が施される場合が多い。
【０００７】
意匠上の関係で隔壁部８２を含む前面パネル８０の表面を、もともと同じ色調、質感に仕上げる場合には問題はない。しかし、隔壁部８２には釦７５の誤操作防止機能も含まれているので、誤操作防止効果をあげるためには、隔壁部８２と隔壁部８２を除く前面パネル７０部との色調、質感に差別化を図り誤操作防止を強調できる色調、質感にする方法がとられる場合がある。
【０００８】
次に、第２従来例を図５を用いて説明する。図５は第２従来例の前面パネル構造の構成を示す概略図で、（ａ）平面図、（ｂ）Ｄ−Ｄ断面図である。尚、第２従来例は第１従来例の誤操作防止部を除き同じであるので、同じ構成については同じ符号を付し変更部分を主に説明する。
【０００９】
７２は電子機器の前面パネル構造で、図５で示すように前面パネル９０、釦７５、７６および釦ホルダ８５などにより構成されている。尚、従来例の前面パネル構造９０で、今回改善を必要と考えたのは前面パネルであり、釦７５、７６および釦ホルダ８５についての詳細説明は省略する。
【００１０】
前面パネル９０には、機器を操作する複数の釦７５、７６を挿入する釦挿入凹部９１や記録媒体の挿入孔などが形成されている。また、釦挿入凹部９１の底部には釦ホルダ８５の釦保持部が挿入する挿入孔８３、８４などが形成されており、挿入孔８３と８４との間には、複数の釦７５と７６とを仕切る隔壁部９２が釦挿入凹部９１の底面部から前面パネル９０の表面まで達するように、前面パネル９０とは別部品として形成され、所定の位置に固着（接着、溶着、嵌合など）される。尚、隔壁部９２には釦７５の誤操作防止機能も含まれているので、誤操作防止効果をあげるためには、隔壁部９２と隔壁部９２を除く前面パネル９０との色調、質感に差別化を図り、誤操作防止を強調できる色調、質感に仕上げた後に、所定の位置に接着剤などにより接着される場合がある。
【００１１】
【発明が解決しようとする課題】
しかし、上述の第１従来例の前面パネル構造７０では、隔壁部８２の色調、質感と隔壁部８２を除く前面パネル８０部分の色調、質感とを変える場合には、塗装などの表面処理によりそれぞれを塗り分けしている。しかし、表面処理により隔壁部８２と隔壁部８２を除く前面パネル８０部分とを塗り分ける場合には、境界部分に一定の隙間を確保する必要があり所望する意匠に出来ない場合がある。また、隔壁部８２の色調、質感を変える場合には、テープや治具などを用いて、いずれかの一方の部分をシールする必要があり、完全にシールするのは困難で手間がかかりコスト高の要因となる。
【００１２】
また、上述の第２従来例の前面パネル構造７２では、図５で示すように隔壁部９２を別部品として形成し固着している。しかし、この場合には内部構造などにより固着方法に制約を受ける場合があり、意匠面においても制約を受けることになる。また、隔壁部９２を別部品とすることにより、構成部品点数が増え部品追加による工数増を含む部材費が必要となりコスト高の要因となる。その他に、隔壁部９２を別部品として固着しているので強度的にも問題が残る。
【００１３】
尚、本発明に関する先行技術調査の結果、本発明に該当する先行技術文献情報などは見当たず、上述の従来例が一般的となっている。
【００１４】
本発明は上述の問題を解決するもので、構成部品点数を増やすことなく意匠範囲を増やし所望する意匠の前面パネル構造を安価で提供することを目的とする。
【００１５】
【課題を解決するための手段】
本発明は上述の目的を達成するもので、機器の前面パネルと、前記機器を操作する複数の釦と、該釦の保持部を有し該前面パネルの裏面側に設けられた釦ホルダとからなる前面パネル構造において、前記前面パネルは、複数の釦を挿入する釦挿入凹部と、前記保持部が挿入する挿入孔と、該挿入孔と挿入孔との間に設けられた貫通孔とを有し、前記釦ホルダは、前記保持部に接続し作動支点となるヒンジ部と、前記貫通孔に挿通し隣接する複数の釦を仕切る隔壁部とを有することを特徴とするものである。
【００１６】
また、前記釦ホルダは、少なくとも前記隔壁部に所望する色調、質感が得られるような樹脂部材により形成されてなることを特徴とするものである。
【００１７】
また、前記釦ホルダには、少なくとも前記隔壁部に所望する色調、質感が得られるような表面処理が施されてなることを特徴とするものである。
【００１８】
また、機器の前面パネルと、前記機器を操作する複数の釦と、該釦の保持部を有し該前面パネルの裏面側に設けられた釦ホルダとからなる前面パネル構造において、前記前面パネルは、複数の釦を挿入する釦挿入凹部と、前記保持部が挿入する挿入孔と、該挿入孔と挿入孔との間に設けられた貫通孔とを有し、前記釦ホルダは、前記保持部に接続し作動支点となるヒンジ部と、前記貫通孔に挿通し隣接する複数の釦を仕切る隔壁部とを有し、導光性の樹脂部材で形成され、少なくとも前記隔壁部が所望する色調に照明されるように照明用の光源が設けられていることを特徴とするものである。
【００１９】
また、前記釦ホルダは、少なくとも前記隔壁部が導光性の樹脂部材で形成されてなることを特徴とするものである。
【００２０】
【発明の実施の形態】
本発明の一実施例を図１、図２及び図３を用いて説明する。
【００２１】
図１は本発明の一実施の形態に係る前面パネル構造の構成を示す概略図で、（ａ）平面図、（ｂ）Ａ−Ａ断面図である。図２は本発明の前面パネルの要部を示す概略図で、（ａ）平面図、（ｂ）Ｂ−Ｂ断面図である。図３は本発明の釦ホルダの要部を示す概略図で、（ａ）平面図、（ｂ）Ｃ−Ｃ断面図である。
【００２２】
１０は電子機器の前面パネル構造で、図１で示すように前面パネル２０、釦１５および釦ホルダ３０などにより構成されている。
【００２３】
前面パネル２０には、図２で示すように電子機器を操作する複数の釦１５、１６を挿入する釦挿入凹部２１や記録媒体の挿入孔などが形成されている。また、釦挿入凹部２１の底部には釦ホルダ３０の釦保持部３１が挿入する挿入孔２２、２３などが形成されており、挿入孔２２と２３との間には、釦１５と釦１６とを仕切る隔壁部３２が挿入する複数（本例３か所）の貫通孔２４などが形成されている。前面パネル２０の表面は意匠上の関係で所望する色調、質感を得るために表面処理（塗装、めっきなど）が施される。
【００２４】
釦ホルダ３０は、前面パネル２０の裏面側に設けられる部材で、図３で示すように前面パネル２０に設けられる複数の釦１５、１６に対応する位置に、釦１５、１６を保持する釦保持部３１と、それぞれの釦保持部３１の片側には、釦保持部３１の作動支点となる２箇所のヒンジ部３３が、釦ホルダ３０の本体部と接続するように本体部と一体形成されている。また、前面パネル２０に図示水平方向に設けられた複数の貫通孔２４に係合する隔壁部３２が、釦ホルダ本体部から突出して一体形成されている。
【００２５】
隔壁部３２は、前面パネル２０の貫通孔２４に係合して前面パネル２０の表面に現れるので、前面パネル２０の一部として意匠の面からも重要である。特に、隔壁部３２には釦１５、１６の誤操作防止機能も含まれているので、誤操作防止効果をあげるためには、隔壁部３２と前面パネル２０との色調、質感に差別化を図り、誤操作防止を強調できる色調、質感を得るために表面処理（塗装、めっきなど）が施される。
【００２６】
以上説明したように本発明の一実施の形態に係る前面パネル構造１０によれば、前面パネル２０に貫通孔２４を設け、貫通孔２４に係合する隔壁部３２を釦ホルダ３０と一体形成し、それぞれを組み合わせることにより構成部品点数を増やすことなく本来の前面パネルを構成することができる。また、隔壁部３２が前面パネル２０と別体となっているので、表面処理により前面パネル２０と隔壁部３２との色調、質感の差別化が容易となるので、意匠の選択範囲が広がり所望する意匠が得られる。また、隔壁部３２が強調できるので誤操作防止効果の向上が図れる。したがって、前面パネル構造１０のコスト低減と品質の向上が図れる。
【００２７】
尚、上述の実施の形態では、釦ホルダ３０の隔壁部３２を表面処理により前面パネル２０部との色調、質感の差別化を行ったが、これに限らず所望する色調、質感が得られるような樹脂部材を用いて形成することにより、隔壁部３２の表面処理が不要となりさらにコスト低減と品質の向上が図れる。
【００２８】
また、釦ホルダ３０を導光性（透明または半透明）の樹脂部材を用いて形成し、隔壁部３２相当部を所望する色調に照明できるように照明用の光源を設けることにより、隔壁部３２相当部と前面パネル２０部との色調、質感の差別化が強調され、誤操作防止効果が向上する。また、照明用の光源の色を変えることにより意匠の選択範囲がさらに広がり所望する意匠が得られる。尚、隔壁部３２相当部のみを釦ホルダ本体部と異なる導光性（透明または半透明）の樹脂部材とし、２色成形により形成してもよい。
【００２９】
その他に、本実施の形態では、図示上下２段に密着して設けられた複数の釦１５、１６をそれぞれ上下方向に仕切るように、隔壁部３２を図示水平方向に設けたが、これに限らず、水平方向に密着して設けられた釦１５、１６をそれぞれ仕切るように隔壁部３２を図示垂直方向に設けてもよい。また、隔壁部３２を水平、垂直両方向に設け、複数の釦１５、１６をそれぞれ仕切ることもできる。
【００３０】
【発明の効果】
以上説明したように本発明によれば、構成部品点数を増やすことなく意匠範囲を増やし所望する意匠の前面パネル構造を安価で提供するこができる。
【図面の簡単な説明】
【図１】本発明の一実施の形態に係る前面パネル構造の構成を示す概略図である。
【図２】本発明の前面パネルの要部を示す概略図である。
【図３】本発明の釦ホルダの要部を示す概略図である。
【図４】第１従来例の前面パネル構造の構成を示す概略図である。
【図５】第２従来例の前面パネル構造の構成を示す概略図である。
【符号の説明】
１０・・前面パネル構造
１５，１６・・釦
２０・・前面パネル
２１・・釦挿入凹部
２２，２３・・釦挿入孔
２４・・貫通孔
３０・・釦ホルダ
３１・・釦保持部
３２・・隔壁部
３３・・ヒンジ部
【図１】
2004179241.tif 000003
【図２】
2004179241.tif 000004
【図３】
2004179241.tif 000005
【図４】
2004179241.tif 000006
【図５】
2004179241.tif 000007